(57)【要約】  本発明は、長円形の電気スイッチ素子を備える、電気スイッチング装置（１）、特に、高周波スイッチング装置に関する。電気スイッチ素子は、互いに横方向距離を備えて２つの対向接触素子（７ａ，７ｂ）の間に１つの接触端部を備えて配置され、且つ、スイッチ素子付近で両側に配置される２つの調節素子によって対向接触素子（７ａ，７ｂ）のいずれか一方に選択的に向かってその長手方向に対して矛方向に移動され得る。スイッチング中の摩擦プロセスを阻止し或いは少なくとも最小限化するために、スイッチ素子（４）は少なくとも部分的に磁性材料から成り、調節素子は磁石（１３ａ，１３ｂ）によって形成され、接触されるべき対向接触素子（７ａ，７ｂ）とそれぞれ反対の側に配置される磁石（１３ａ，１３ｂ）の有効性は、スイッチングプロセスを可能にするために低減されるか或いは取り消される。
2008518412.tif 000002
【特許請求の範囲】
【請求項１】
長円形の電気スイッチ素子を備える電気スイッチング装置、特に、高周波スイッチング装置であり、
前記電気スイッチ素子は、２つの対向接触素子の間に１つの接触端部を備えて配置され、互いから横方向距離をもたらし、且つ、前記スイッチ素子付近で両側に配置される２つの調節素子によって対向接触素子のいずれか一方に向かって選択的にその長手方向に対して横方向に移動され得る電気スイッチング装置であって、
前記スイッチ素子は、少なくとも部分的に磁性材料から成り、前記調節素子は、磁石によって形成され、前記対向接触素子と対する反対側にそれぞれ配置される前記磁石の有効性は、スイッチングプロセスを可能にするために低減され或いは取り消され得ることを特徴とする、
電気スイッチング装置。
【請求項２】
前記磁石の有効性は、ノズルからの流体流によって低減され或いは取り消されることができ、前記ノズルは同一の側に配置され、前記ノズルに面する前記スイッチ素子の側に向かって方向付けられ、選択的にスイッチオンされ且つスイッチオフされ得ることを特徴とする、
請求項１に記載のスイッチング装置。
【請求項３】
長円形の電気スイッチ素子を備える電気スイッチング装置、特に、高周波スイッチング装置であり、
前記電気スイッチ素子は、２つの対向接触素子の間に１つの接触端部を備えて配置され、互いから横方向距離をもたらし、且つ、前記スイッチ素子付近で両側に配置される２つの調節素子によって対向接触素子のいずれか一方に向かって選択的にその長手方向に対して横方向に移動され得る電気スイッチング装置であって、
圧縮空気のための少なくとも１つのノズルが、前記対向接触素子が配置される前記スイッチ素子の側に配置され、前記圧縮空気は、前記圧縮空気に面する前記スイッチ素子の側に向かって方向付けられることを特徴とする、
電気スイッチング装置。
【請求項４】
前記スイッチ素子は、少なくとも部分的に磁性材料から成ること、並びに、前記接触素子を磁力によってそれぞれの対向接触素子と接触状態に保持するための磁石がそれぞれの側に配置されることを特徴とする、請求項３に記載のスイッチング装置。
【請求項５】
前記磁石は、永久磁石又は電磁石であり、その磁力は選択的に提唱され或いはスイッチオフされ得ることを特徴とする、上記請求項のうちのいずれか１項に記載のスイッチング装置。
【請求項６】
前記スイッチ素子は、横方向に弾性的に曲がり得ることを特徴とする、上記請求項のうちのいずれか１項に記載のスイッチング装置。
【請求項７】
前記スイッチ素子は、ばねリードから成り、その広い側は、前記対向接触素子に向かって面することを特徴とする、請求項６に記載のスイッチング装置。
【請求項８】
前記磁石は、前記対向接触素子の背後に、特に、それらの背面と接触して配置されることを特徴とする、上記請求項のうちのいずれか１項に記載のスイッチング装置。
【請求項９】
前記対向接触素子は、前記関連する磁石にそれぞれ堅く接続される、例えば、はんだ付けされることを特徴とする、請求項８に記載のスイッチング装置。
【請求項１０】
２つのスイッチ素子が、横断平面に対して互いに反対に配置され、それらの相互に面する接触端部を両側に配置される対向接触素子に向けた状態で横方向に移動され得ること、並びに、磁石及び／又はノズルが前記２つのスイッチ素子とそれぞれ反対側に割り当てられることを特徴とする、上記請求項のうちのいずれか１項に記載のスイッチング装置。
【請求項１１】
圧力源が前記ノズルのそれぞれに割り当てられるか、或いは、共通の圧力源が前記ノズルに割り当てられ、それは前記供給線を介して前記ノズルに接続されることを特徴とする、請求項２乃至１０のうちのいずれか１項に記載のスイッチング装置。
【請求項１２】
前記圧力源又は複数の圧力源は、ピストンポンプ、膜ポンプ、又は、コンプレッサによってそれぞれ形成されることを特徴とする、請求項１１に記載のスイッチング装置。
【請求項１３】
前記ノズルは、前記対向接触素子によって及び／又は前記磁石によって支持され、具体的には、その内部に形成されたボア孔によってもたらされることを特徴とする、請求項２乃至１２のうちのいずれか１項に記載のスイッチング装置。
【請求項１４】
前記ノズルは、前記対向接触素子及び／又は前記磁石の付近に配置されることを特徴とする、請求項２乃至１２のうちのいずれか１項に記載のスイッチング装置。
【請求項１５】
長手方向に連続的に配置された１つ又はそれよりも多くのスイッチング装置が、ハウジングの保護区画内に配置されることを特徴とする、上記請求項のうちのいずれか１項に記載のスイッチング装置。
【請求項１６】
前記流体流はガス流、具体的には、空気流であることを特徴とする、請求項２乃至１５のうちのいずれか１項に記載のスイッチング装置。
【発明の詳細な説明】
【技術分野】
【０００１】
本発明は、請求項１又は請求項３の前文に従った電気スイッチング回路に関する。
【背景技術】
【０００２】
この種類のスイッチング装置がドイツ国公報第１０１０３８１４Ａ１号に記載されている。具体的には、スイッチング装置は、異なる減衰素子を介して高周波較正線のための電力線をスイッチオフするために使用される。この目的のために、それは長円形のスイッチ素子を提供し、スイッチ素子は、調節素子によって、その長手方向に対して横方向に移動され得るし、その端部で対向接触表面と選択的に接触させられ或いは接触しないようにされ得る。接触位置において、接触表面への電流の伝導は、他の要因の中でもとりわけ、接触表面と対向接触表面との間の相互接触に依存する。特に、もし汚染及び／又は粒子が電気的に非伝導性の材料からなるならば、汚染又は粒子は電流伝導を実質的に損ない得る。
【０００３】
較正線のために無干渉電流伝導が特に重要であり、較正線は、例えば、信号発生器又はネットワーク分析器の減衰設定のための基準として使用される。較正線は、例えば、入力端部及び出力端部に同一且つ一定の波動インピーダンスと直列に配置される幾つかの４ピンスイッチング装置を提供し、各場合において、調節可能な較正された減衰及び関連する正確なレベルを提供する。
【０００４】
既知の高周波電気スイッチング装置を用いるならば、それらは高周波較正線において典型的に使用されるので、プランジャを介して外部的な機械的力を加えることによって、スイッチ素子の横方向スイッチング動作が達成され、プランジャはスイッチ素子を横方向に押すことによって、それを移動させる。スイッチ素子によって実行される横方向回転動作、並びに、スイッチ素子の両側に設けられるプランジャの線形プッシング動作の故に、プランジャとスイッチ素子との間の接触領域内に摺動動作が生じ、それは引き起こされる摩擦の結果として研磨された粒子を生じさせる。もしスイッチング装置が閉塞されたスイッチング区画であるならば、摩擦によって引き起こされる研磨粒子から接点への干渉の危険性は特に大きい。何故ならば、研磨粒子はスイッチング区画内に残存するからである。しかしながら、開放的なスイッチング区画を用いるとしても、研磨粒子が接触表面間に進入して電気的接触を損なう危険性がある。
【発明の開示】
【発明が解決しようとする課題】
【０００５】
本発明は、導入部に示された種類の電気スイッチング装置内の研磨粒子を通じた摩擦プロセス並びに結果としての電気的接触を損なう危険性を除去し或いは少なくとも低減するという目的に基づいている。具体的には、接触表面の近傍における研磨粒子の発生は、回避されるべきであり、少なくとも、低減されるべきである。その上、簡単な設計が提供されるべきである。
【課題を解決するための手段】
【０００６】
この目的は、請求項１又は請求項３の特徴によって達成される。本発明の有利なさらなる開発が従属項に記載される。
【０００７】
本発明は、スイッチ素子のためのスイッチング動作が磁石及び／又は流体力によって駆動されるときには、移動する機械的接触がスイッチ素子と調節素子との間に必要とされず、従って、摺動摩擦は起こらず、スイッチ素子のスイッチング動作が磁石及び／又は流体力によって生成されるときには、関連する研磨粒子は形成されないという知識に基づく。
【０００８】
請求項１に特定される本発明に従ったスイッチング装置の場合、スイッチ素子は、少なくとも部分的に磁性材料から成り、調節素子は磁石によって形成され、対向接触素子に対して反対側に配置される磁石の有効性は、スイッチングプロセスを可能にするために、低減され或いは取り消され得る。従って、スイッチングプロセス中、２つの磁石の一方が、スイッチング機能、換言すれば、スイッチ素子をそれぞれの対向接触に向かって移動すること、並びに、対向接触素子に対する接触保持機能を満足し、接触する対向接触素子と反対側の磁石の有効性は、低減され或いは取り消される。これは、例えば、対向する磁石を動作しないよう取り出すことによって、例えば、電磁石をスイッチオフし或いは減少された電流を供給することによって、或いは、対向する磁石、例えば、電磁石又は永久磁石の磁力を超える調整力を用いて接触されるべき対向接触素子に向かってスイッチ素子を移動することによって達成され得る。
【０００９】
これは、例えば、対向する側に配置されるノズルを用いて達成され得る。そこから、流体流が圧力下でスイッチ素子の面する側に向かって方向付けられ、その流体流は調節力をスイッチ素子に及ぼし、それは磁力を超え、スイッチ素子を接触されるべき対向接触素子に向かって移動する。
【００１０】
本願の意味おける「流体流」という用語は、好ましくは、ガス流、具体的には、空気の流れを意味するが、液体流も可能である。
【００１１】
独立請求項３に特定されるような本発明に従ったスイッチング装置に関して、圧縮流体のためのノズルが、対向接触素子が配置されるそれぞれの側に配置され、ノズルは選択的にスイッチオンされ得る。本発明に従ったこの実施態様を用いることで、スイッチ素子のスイッチング動作及びそれぞれの対向接触素子に対するその接触保持は、それぞれのノズルからの圧力の下で放射される流体流によっても実現され、それはスイッチ素子に対するその衝撃を通じて調整力を発生し、それはスイッチ素子を他の側に移動し、それを対向接触素子と接触した状態に保持する。
【００１２】
請求項１及び請求項３に従った双方のスイッチング装置は、無接触スイッチングをもたらす。従って、対向接触素子に向かうスイッチ素子の移動は、摺動も、機械的摩擦も、結果として発生する研磨粒子も必要としないので、従って、電気接触はこの観点では損なわれないままである。
【００１３】
各場合において、本発明は簡単な実施態様によって特徴付けられ、それは本発明が小型の設計で実現されることを可能にする。何故ならば、それはスイッチ素子と調節素子との間に機械的接続を必要としないからである。機械的接続がない結果、本発明に従った実施態様は、スイッチ素子と調節素子との間の距離に関して可変であり且つ順応性がある。従って、それらは簡単且つ有利な方法で既存の設計に統合され得る。
【００１４】
本発明は、磁石及びノズルをそれぞれの対向接触素子が配置される側に配置することによって極めて有利な方法で実現され得る。この組み合わされた実施態様を用いることで、それぞれのノズルは、スイッチ素子のための動作機能を充足すると同時に、それぞれの磁石は接触保持機能を充足する。従って、スイッチ素子がそれぞれの磁石によって引き付けられるとき、ノズルはスイッチオフされ得る。この動作中、それぞれの磁石はノズルの動作機能を支持し得る。
【００１５】
もしそれぞれの磁石が永久磁石によって形成されるならば、実質的な寄与がスイッチング装置の単純化に向かって行われる。そのような場合には、関連する磁石の有効性は、同一側に配置されるノズルをスイッチオンすることによって取り消され得る。放射されるその流体流はそのような大きな起動力をスイッチ素子に及ぼすので、隣接する永久磁石の磁気的保持力は克服され、従って、抑制される。
【００１６】
スイッチ素子を対向接点に向かって移動するために、スイッチ素子をそれぞれの対向接点に向かって移動するのに十分な圧縮流体の短期間の適用のみが必要とされる。接触端部が関連する永久磁石によって磁気的に引き付けられるや否や、ノズルによって放射される流体流は、再びスイッチオフされ、それによって、加圧流体の節約を達成し得る。
【００１７】
本発明に従った実施態様は、板ばねの形態のスイッチ素子とも極めて有利に組み合わせられ得る。その広い側はそれぞれに関連付けられた永久磁石及び／又はそれぞれに関連付けられたノズルに向かって面する。この脈絡において、スイッチ素子は薄膜の寸法を有し得るので、スイッチ素子は小さな起動力でそれぞれに対向する対向接触素子に向かう方向に移動され得る。それを用いて、それは接触状態に保持され得る。この脈絡において、スイッチ素子は、それぞれに関連付けられた永久磁石に向かって移動される必要はない。接触位置において、もしスイッチ素子と永久磁石との間に十分な距離が存在するならば、接触保持機能も永久磁石の十分な磁力によって保証される。
【００１８】
本発明に従った実施態様は、スイッチ素子がハウジングの好ましくは封止された保護区画内に配置されるスイッチング装置に理想的に適する。この場合には、ハウジングは出口を備えて設計されるべきであり、入ってくる加圧流体は出口を通じて逃げ得る。
【００１９】
加圧流体における圧力は、例えば、往復動作し得る少なくとも１つのピストンを備える或いは往復動作し得る少なくとも１つの膜を備えるポンプによって或いはコンプレッサによって生成され得る。
【００２０】
さらに、もし２つのスイッチ素子が横断平面に対して互いに反対の長手距離で配置され且つそれらのそれぞれの相互に面する接触端部を備える関連する永久磁石に向けて横方向に移動され得るならば、簡単且つ小型の設計に向けた寄与がなされる。この脈絡において、共通の永久磁石が好ましくは各側に配置される。これは４ピンスイッチング装置の簡単な実現を可能にする。
【００２１】
本発明のさらなる開発は簡単な設計及び取付機能を達成し、それは、確実な機能及び確実な接触を伴う、小さく、無干渉の、耐久性のある設計を保証する。
【００２２】
本発明の有利なさらなる実施態様が、幾つかの例示的な実施態様及び図面を参照してより詳細に説明される。
【発明を実施するための最良の形態】
【００２３】
全体的に参照番号１で印されるスイッチング装置は、それぞれスイッチ素子４を備える１つ又はそれよりも多くのスイッチ３を備える電線２を提供し、スイッチ素子は、電線２に対して横方向に往復移動され得るし、線２を開閉するために使用される。スイッチ素子４は長円形の素子であり、それはその下端部５で線２に恒久的に接続され、その他端で接触端部６を提供し、それを用いて、その接触位置への横方向移動の後、それは互いに横方向に配置された２つの対向接触素子７ａ，７ｂの一方と接触する。開放設定が中央位置に設けられ、接触端部６は、図面中の描写線によって暗示されるように、対向接触素子７ａ，７ｂから横方向距離に配置される。
【００２４】
例示的な実施態様において、スイッチング装置１は、平行に配置された較正線部分２ａ，２ｂを備える所謂較正線の一部であり、較正線部分は選択的に切り替えられ得る。少なくとも１つの較正線部分は減衰され、減衰線を形成する。図面は、４つのスイッチ３によって形成される４ピン較正線を示しており、２つの較正線部分２ａ，２ｂ及び２つのスイッチ素子４は好ましくは同一形状であり、それらは電線２に対して横方向に延びる横断平面８の両側に並びに対向接触素子７ａ，７ｂの間のほぼ中央に互いに鏡像に配置されるので、それらの接触端部６は、２つの横方向に離間された対向接触素子７ａ，７ｂの間に配置され、互いに向かって方向付けられ、対向接触素子７ａ，７ｂのいずれか一方に向かって選択的に移動され得る。横断平面８の両側に鏡像に配置されるスイッチング装置は本質的に同一であるので、以下の記載は横断平面８の左側に配置されるスイッチング装置のみに関する。
【００２５】
スイッチ素子４は、好ましくは、横方向に弾性的に曲がり、その下方端部５はホルダ９内に保持され、ホルダはベース１１に取り付けられる。平坦ストリップの形態のばねリードが、その狭い側が可視的であり且つその２つの相互に面する広い側が対向接触素子７ａ，７ｂに向かって面する状態で図１の平面図に示されるように、曲がるスイッチ素子として特に適している。平坦ストリップは薄膜からも成り得る。その厚さは１／１０ｍｍ未満、例えば、たった数μｍである。
【００２６】
本発明の第一の例示的な実施態様によれば、スイッチ素子４が対向接触素子７ａ，７ｂのいずれか一方に向かって横方向に移動されるスイッチングプロセスの実施のために、ノズル１２ａ，１２ｂが対向接触素子７ａ，７ｂに向かう方向の接触端部６の横方向動作のために設けられる。スイッチングプロセスを実施するために、それぞれのノズル１２ａ，１２ｂは、圧縮流体、好ましくは圧縮空気でチャージされるので、流体流がスイッチ素子４の面する側、特に、その広い側に強く衝突するので、その接触端部６を備えるスイッチ素子は接触されるべきそれぞれの対向接触素子７ａ，７ｂに向かって移動され、それはそれぞれの対向接触素子と接触するようになる。弾性的な可撓な材料、例えば、平坦ストリップの形態のばねリードから成るスイッチを使用するとき、スイッチ素子の弾性的な復帰力はこの動作中に克服されなければならない。圧縮流体を用いたチャージングは、関連する電気接点が閉じられるまで限り保持されなければならない。所望のスイッチング時間の終了後、それぞれのノズル１２ａ，１２ｂは再びスイッチオフされ、その後、スイッチ素子４はその位置に留まり得るし、或いは、例示的な実施態様におけるように、その弾性的な曲げ応力の故に、自動的にその中心位置に跳ね返り得る。
【００２７】
第二の例示的な実施態様によれば、永久磁石が、その磁力を通じてスイッチ素子４を引き付け且つスイッチ素子をそれぞれの対向接触素子７ａ，７ｂ上に保持し得るよう、スイッチ素子の各側に配置され、接触されるべき接触素子７ａ，７ｂの反対側に配置される永久磁石の効率は、減少され或いは取り消され得る。従って、永久磁石は磁力をもたらし、磁力は、動作範囲内に配置されるスイッチ素子４を引き付け且つそれを関連する対向接触素子７ａ，７ｂに対して保持するのに十分である。それぞれの対向する磁石１３ａ，１３ｂは減少され或いは取り消され、動作的な永久磁石は、スイッチ素子４を関連する対向接触素子７ａ，７ｂに向かって移動し且つスイッチ素子を対向する接触素子に保持し得る。
【００２８】
図１に従った例示的な実施態様並びにさらに記載される例示的な実施態様を用いることで、それぞれのスイッチング装置１は、ノズル１２ａ，１２ｂと、永久磁石１３ａ，１３ｂとを提供する。この組み合わされた実施態様を用いることで、それぞれのノズル１２ａ，１２ｂは、流体流がスイッチ素子４を関連する対向接触素子７ａ，７ｂに向かって移動するような大きさのそのそれぞれの流体流を備える起動力を加えることが必要なだけである。次に、関連する永久磁石は、スイッチ素子４を対向接触素子に対して保持することによって、接触保持機能を充足する。しかしながら、永久磁石の磁力は、関連する接触素子７ａ，７ｂに向かうスイッチ素子４の動作も支持し得る。
【００２９】
関連する永久磁石１３ａ，１３ｂがその磁力を通じてスイッチ素子４を独立して引き付け且つ／或いは保持し得るや否や、関連するノズル１２ａ，１２ｂはスイッチオフされ得る。
【００３０】
例示的な実施態様において、永久磁石１３ａ，１３ｂは、スイッチ素子４に対して関連する対向接触素子７ａ，７ｂの背後に配置され、永久磁石１３ａ，１３ｂは、例えば、スイッチ素子４に向かって面する平坦正面を備えるディスク又はブロックによって形成され、それを用いて、板、ストリップ、又は、膜の形態の関連する対向接触素子７ａ，７ｂは接触し、例えば、接着又ははんだ付けによって付着され得る。
【００３１】
それぞれのノズル１２ａ，１２ｂは、そのノズル開講がそれに面するスイッチ素子の側に向かって方向付けられるよう、スイッチ素子４の隣に横方向に配置され且つ整列され、それは好ましくは広い側である。例示的な実施態様において、ノズル１２ａ，１２ｂは、対向接触素子７ａ，７ｂ及び永久磁石１３ａ，１３ｂに統合され、永久磁石１３ａ，１３ｂ内の並びに対向接触素子７ａ，７ｂ内のボア通孔によって形成される。ノズル１２ａ，１２ｂ及び／又はボア通孔１２ｃは、後部で圧縮流体、好ましくは、圧縮空気のための供給線に接続される。
【００３２】
図面の平面に対して横方向に向けられる対向接触素子７ａ，７ｂ及び永久磁石１３ａ，１３ｂの寸法は、一方では、十分な接触点を提供し、他方では、十分な磁場地域を提供するのに十分な大きさである。例示的な実施態様において、共通の対向接触素子７ａ，７ｂ及び共通の永久磁石１３ａ，１３ｂは各側に形成され、一方では、十分に大きな接点を保証し、他方では、十分に大きな磁場を保証するために、スイッチ素子４の２つの相互に面する接触端部６が十分に遠くにオーバーラップすることを許容するほどに十分に大きな寸法「ａ」を線２の長手方向にもたらす。従って、２つのノズル１２ａ，１２ｂ及びそれぞれのボア通孔１２ｃは、それらの位置が関連する接触端部６の端部領域に向かって方向付けられるよう、共通の対向接触素子７ａ，７ｂ及び／又は永久磁石１３ａ，１３ｂの端部領域内に配置される。
【００３３】
スイッチ素子４の各側及び／又はスイッチ素子４には、それぞれのノズル１２ａ，１２ｂを圧縮流体、特に、圧縮空気でチャージするために、共通の圧力源１４も設けられる。図１に示される実施態様の場合には、シリンダハウジング１５ａとピストンロッド１４ｃを備えるピストン１５ｂとを備えるシリンダの形態のピストンポンプ１５が、各永久磁石１３ａ，１３ｂの後部に設けられる。従って、永久磁石１３ａ，１３ｂ及び対向接触素子７ａ，７ｂは、スイッチ素子４に向かって面するシリンダハウジングの端壁を形成することができ、ノズル１２ａ，１２ｂ及びそれぞれのボア通孔１２ｃは、シリンダの圧縮質１５ｄから直接的に延びる。他の側には、それぞれのスイッチ素子４、関連する接触素子７ｂ、永久磁石１３ｂ、及び、圧力源が配置され、スイッチング装置１の垂直長手平面１６に対して鏡像に形成される。
【００３４】
図１に例証される機能的な位置において、スイッチ素子４は、較正線部分２ｂを導電的に接続する位置に配置され、接触端部６は永久磁石１３ｂと接触し、その磁力によって接触状態に保持される。
【００３５】
スイッチ素子４を較正線部分２ａに接触する位置に切り換えるために、図２に例証される位置１５ｂは、例証されていないピストン駆動によって上向きに移動され、ピストン室内に配置される流体は、ノズル１２ｂからの流体流として放射され、下方永久磁石１３ｂとの接触位置からスイッチ素子４を解放し、それらを反対の対向接触素子７及びそれぞれに永久磁石１３ａに向かって上向きに移動する。この位置において、スイッチ素子は、図３に示されるように、上方永久磁石１３ａの磁力によって対向接触素子７ａと接触して保持される。例えば、同時に、図３に示される位置から図１に示される位置へのスイッチ素子の動作が可能であるために、上方ピストン１５ｂは上向きに移動され得る。この脈絡において、流体流は、関連するスイッチ素子４を関連する永久磁石１３ａに向かって移動し得る。その場合には、後者はその磁力を通じて動作を支持する。
【００３６】
従って、もし永久磁石１３ａの磁力が十分に大きいならば、それぞれの流体流の推力は、スイッチ素子４を中央位置を超えて移動するのに十分な大きさであることが必要なだけである。この位置から、反対に配置される永久磁石１３ａは、スイッチ素子を、それに向かって並びに対向接触素子７ａに向かって引き付け、且つ、所要時間に亘ってそれを保持し得る。それぞれの永久磁石の有効磁力が、スイッチ素子４を中心位置を超えてそれに向かって引き付けるのに十分な大きさであるや否や、関連するノズルはスイッチオフされ得る。何故ならば、それも或いは流体流も今や要求されないからである。
【００３７】
スイッチ素子４は、ホルダ又は複数ホルダ９を超えて好ましくは一体に延びる二重スイッチ素子であることができ、それはホルダ９から両方の長手方向に突出し、互いに外方を向いて面するスイッチ素子４ａは、さらなる動作ドライブ１２、及び、描写線で暗示されるさらなる較正線部分の対向接触素子７ａ，７ｂと協働する。これは右側及び左側の点線によって図１中に示されている。
【００３８】
同一又は同等の較正素子が同一の参照番号で印される図４に従った実施態様を用いるならば、圧縮室１５ｄ内でガス圧力及び／又は空気圧力を発生し且つ上記に記載の機能に従ってスイッチオン及びスイッチオフされ得る膜１７ａを備える膜ポンプ１７が、ピストンポンプの代わりにそれぞれ設けられている。
【００３９】
例えば、ピストンポンプ１５又は膜ポンプ１７の形態の共通の圧力源１４が、例えば、図５に示されるような中央長手平面１６の両側に配置されたノズルドライブのためにも設けられることができ、そこには、供給線１８ａ，１８ｂによってノズル１２ａ，１２ｂに接続された別個且つ共通のコンプレッサ１８が設けられる。圧縮空気は、図面に例証されていない供給線１８ａ，１８ｂ内に配置された弁を通じてノズル１２ａ，１２ｂに選択的に伝えられ得る。
【００４０】
相互に協働する接触面を外部からの汚染から保護するために、好ましく封止されたハウジング２２の保護区画２１内に、少なくとも接触平面を備える部分に対して、スイッチング装置を配置することが有利である。ノズル１２ａ，１２ｂが上記のように提供される例示的な実施態様において、出口開口（図示せず）が保護区画２１の壁に設けられ、その開口は、ノズル１２ａ，１２ｂが区画内部に正圧を発生するときにはいつでも、閉鎖装置（図示せず）を用いて好ましくは自動的に開放し、圧力が所与値に降下するときにはいつでも、自動的に閉塞する。
【００４１】
同一又は同等な部分が同様に同一の参照番号で印される図６に従った例示的な実施態様は、この種類のハウジング２２を上からの斜視図で示しており、保護区画２１は、頂部にあるカバー２２ａによって選択的に開閉され得る。
【００４２】
図６に従った設計を用いることで、ベース１１は、ハウジングベース２２ｂ及び２つの互いに対向する側壁２２ｃ、後者の上に適合され得るカバー２２ａ、並びに、その端部でハウジングベース２２ｂ及び側壁２２ｃに適合され且つボルト止めされる２つの相互に対向する端壁２２ｄによって形成される。好ましくは、端壁２２ｄは側壁２２ｃを超えて突出するので、それらはそれらの間にカバー２２ａを収容し得るし、後者にボルト止めもされ得る。端壁２２ｄの平坦内部取付の封止を向上するために、それらはゴム又は合成材料のような弾性的な圧縮可能な材料から成る各封止リング２３で封止され得る。それらは好ましくは端壁２２ｄの接触表面内の角溝２４内に封止され、接触表面よりも僅か上に突出する。
【００４３】
外側に向かって突出し且つ電線２がそこを通じて保護区画２１内に延びるスリーブ状のケーブルねじ２６を備える電線２のためのボア孔２５が、端壁２２ｄの中央領域内にそれぞれ配置され、例えば、ねじ接続によって、封止される。
【００４４】
スイッチ素子４のためのホルダ９は、好ましくは、保護区画２１の端部領域内に配置される。ホルダ９は、クランプジョーを備えるクランプ装置によってそれぞれ形成され得る。クランプジョー間には、関連するスイッチ素子４がクランプされ得る。
【００４５】
図６及び７は、それぞれ横断平面１６の両側に配置されるノズル１２ｂのための共通の供給線１２ｄを示している。２つの枝線１２ｅが、例えば、それぞれの共通の通路への流体接続又は磁石１３ａ，１３ｂ及び対向接触素子７ａ，７ｂ内のそれぞれのボア孔１２ｃから延び得る。この種類の流体接続は、図５に従った例示的な実施態様にも設けられ得る。
【００４６】
図６及び７に従った例示的な実施態様を用いることで、較正線部分２ａ，２ｂ及びそれぞれの対向接触素子７ａ，７ｂが、磁石１３ａ，１３ｂの下方領域内に配置される。上方領域には、換言すれば、スイッチ素子４の上には、ブリッジ較正素子２７が永久磁石１３ａ，１３ｂの間に配置され且つ取り付けられ得る。その長手寸法は、例えば、永久磁石１３ａ，１３ｂの長手寸法に対応する。
【００４７】
図面に暗示される動作ドライブ１２は、横方向に突出する駆動ハウジング内のスイッチング装置１の領域内の筐体２２の側壁に配置され、それは、例えば、横方向に突出する特に、円形断面のパイプ２８ａをもたらし、それらはハウジングの下方部分内の並びにカバー２２ａ内の適切な凹部２９内に配置される。
【００４８】
動作ドライブ１２は、例えば、上記に記載された動作ドライブであり得る。本発明の枠組内で、永久磁石１３ａ，１３ｂの代わりに電磁石を設けることも可能であり、スイッチオン状態におけるその磁力は、関連するスイッチ素子４をそれに向かって引き付け、或いは、関連する対向接触素子と接触状態にそれを保持するのにそれぞれ十分なほどに強い。対向する電磁石の磁力は、それぞれのスイッチングプロセスのために低減され、或いは、電磁石はスイッチオフされるので、それぞれの活性な電磁石はスイッチ素子４を引き付け得る。上記されたように、ばねリードの形態のスイッチ素子４の存在下で、関連するスイッチ素子４が、そのそれぞれの中心位置から、接触する対向接触素子７ａ，７ｂに向かって引き付けられる。
【００４９】
電磁石を用いるこの変形は、ノズル１２を備える或いは備えない構成及び動作のためにも適している。
【００５０】
関連付けられた電子制御装置３１が、２つのドライブハウジング２８の一方に、例えば、ハウジング２２から見て外方を向くその端部に配置され得る。
【００５１】
同一又は同等の構成素子が同一の参照番号で印され且つカバー２２ａが明瞭性の理由から省略された図８に従った例示的な実施態様は、ノズル１２が対向接触素子７ａ，７ｂ及びハウジングの下方部分上のそれぞれの磁石１３ａ，１３ｂの付近でスイッチ素子４の長手方向に配置されている点で、前に記載された例示的な実施態様と異なる。十分に強い流体流を用いることで、スイッチ素子４はこの長手領域に移動され得る。長手領域は接触端部６からさらに離れて配置される。
【００５２】
図８に従った例示的な実施態様において、ノズル１２ａ，１２ｂは、内部側部３２から突出する管によって形成される。管は、例えば、内部側部３２のボア孔内に挿入され得る。これらの例示的な実施態様において、供給線部分は、側壁２２ｃを通じてノズル１２ａ，１２ｂにそれぞれ延びる。
【００５３】
図６乃至８に従った例示的な実施態様の場合には、永久磁石１３ａ，１３ｂは、例えば、はんだブロックの形状に形成される。
【００５４】
同一又は同等の構成素子が同様に同一の参照番号で印される図９に従った例示的な実施態様において、例えば、フォークの形状に形成される永久磁石１３ａ，１３ｂが設けられる。互いに反対に配置される磁石は、好ましくは、反対の極Ｎ，Ｓをそれぞれ備えて面し合うのが好ましい。
【００５５】
本発明の枠組内で、幾つかのスイッチング装置１は、図１中に概略的に暗示されるように、ハウジング２２内に或いは線２の長手方向においてその保護区画２１内に連続的に配置され得る。
【００５６】
本発明の提示された例示的な実施態様に制限されない。記載され且つ例証された如何なる素子も必要に応じて互いに組み合わせられ得る。
【図面の簡単な説明】
【００５７】
【図１】スイッチング位置にある本発明に従った電気スイッチング装置を示す概略図である。
【図２】他の機能的位置にあるスイッチング装置を示す概略図である。
【図３】他のスイッチング位置にあるスイッチング装置を示す概略図である。
【図４】変更された実施態様における本発明に従ったスイッチング装置を示す概略図である。
【図５】他の変更された実施態様における本発明に従ったスイッチング装置を示す概略図である。
【図６】他の変更された実施態様における本発明に従ったスイッチング装置を示す概略図である。
【図７】図６中にＸで印された詳細を示す拡大図である。
【図８】他の変更された実施態様における本発明に従ったスイッチング装置を示す概略図である。
【図９】他の変更された実施態様における本発明に従ったスイッチング装置を示す概略図である。
【図１】
2008518412.tif 000003
【図２】
2008518412.tif 000004
【図３】
2008518412.tif 000005
【図４】
2008518412.tif 000006
【図５】
2008518412.tif 000007
【図６】
2008518412.tif 000008
【図７】
2008518412.tif 000009
【図８】
2008518412.tif 000010
【図９】
2008518412.tif 000011
【国際調査報告】
2008518412.tif 000012
2008518412.tif 000013
2008518412.tif 000014
2008518412.tif 000015
2008518412.tif 000016
2008518412.tif 000017